(57)【要約】      （修正有）【課題】耐久性に優れ、良好な導電性及び所望の生産率を得ることができる電気コネクタを提供する。【解決手段】電気コネクタは、絶縁ハウジング１０、複数のプローブ接触子２０および複数の端子３０を備える。前記絶縁ハウジングは、複数の取付け孔１５および複数の取付けスロット１４２を有する。前記取付けスロットは、前記取付け孔にそれぞれ連通しかつ直角である。前記プローブ接触子は前記取付け孔内にそれぞれ取り付けられる。前記端子は、前記取付けスロット内にそれぞれ取り付けられ、前記プローブ接触子をそれぞれ保持し、また各端子は締結部分を有する。前記締結部分は１つのプローブ接触子に直角にかつ該プローブ接触子を確実に保持する。前記締結部分を有する前記端子は、管状本体に沿って長手方向へ滑動することなく、前記プローブ接触子に直角に取り付けられる。したがって、前記端子は、前記プローブ接触子を摩耗させない。【選択図】図２
0003144959.tif 000002
【実用新案登録請求の範囲】
【請求項１】
絶縁ハウジングと、複数のプローブ接触子と、複数の端子とを含む電気コネクタであって、
前記絶縁ハウジングは、前面、後面、底面、複数の取付け孔および複数の取付けスロットを備え、前記取付け孔が前記絶縁ハウジングの前記前面から前記後面まで形成され、また前記取付けスロットが前記取付け孔のそれぞれに対応して該取付け孔に連通しまた該取付け孔と直角に前記底面に形成され、
前記複数のプローブ接触子は、前記取付け孔に対応して該取付け孔のそれぞれに取付けられ、前記プローブ接触子のそれぞれが、対応する前記取付け孔に確実に取り付けられた金属からなる管状本体であって閉鎖端、開放端および該開放端に連通し、前記管状本体に形成されたチャンバを有する管状本体と、金属からなり、前記チャンバ内に滑動可能に取付けられ、前記管状本体の前記開放端から伸張するプローブと、前記チャンバ内に取り付けられ、前記管状本体の前記開放端から前記プローブを偏倚させるスプリングとを備え、
前記複数の端子は、前記絶縁ハウジング内で前記取付けスロットのそれぞれに対応して該取付けスロットに取付けられ、対応するそれぞれの前記プローブ接触子を保持し、前記各端子のそれぞれが、両側部を有する本体部分と、前記本体部分から直角に突出して該本体部分に形成され、前記絶縁ハウジングの前記取付けスロットに対応して取り付けられ前記絶縁ハウジングに対応する前記プローブ接触子を直角にかつ横方向に保持する締結部分であって遠位端、前記対応する取付けスロット内に突出する２つの突起および該突起間で前記遠位端に形成され、前記管状本体を横方向へ締め付ける切り込みを有し、また該切り込みに内底面を有する締結部分と、前記本体部分から前記締結部分と反対側で突出して該本体部分に形成されたはんだ付部分とを備える、電気コネクタ。
【請求項２】
前記管状本体は、さらに該管状本体から半径方向へ突出して該管状本体に形成され前記絶縁ハウジングの前記前面に当接する外方環状フランジを有する、請求項１の電気コネクタ。
【請求項３】
前記各プローブ接触子の前記管状本体の前記外方環状フランジは、前記絶縁ハウジングの前記各取付け孔の直径より大きい直径を有する、請求項２の電気コネクタ。
【請求項４】
前記管状本体は、さらに、該環状本体から半径方向へ突出して該環状本体に形成され、対応する前記取付けスロットに取り付けられる内方環状フランジを有し、
前記各端子の前記締結部分の前記突起は、前記外方フランジおよび内方フランジ間に在り、対応する前記プローブ接触子の前記内方環状フランジに当接する、請求項３の電気コネクタ。
【請求項５】
前記各プローブ接触子の前記管状本体の前記内方環状フランジは、前記絶縁ハウジングの前記各取付け孔の直径より大きい直径を有する、請求項４の電気コネクタ。
【請求項６】
前記各端子の前記締結部分は、さらに、前記切り込みの前記内底面に縦方向に形成されたスリットを有する、請求項５の電気コネクタ。
【請求項７】
前記各端子の前記締結部分は、さらに、前記切り込みの前記突起に形成され、対応する前記プローブ接触子の前記管状本体に緊密に接触する一対の切欠き部を有する、請求項６の電気コネクタ。
【請求項８】
前記絶縁ハウジングは、さらに、前記底面に形成された複数対の取付け開口を有し、前記各端子は、さらに、前記端子の前記本体の両側から該本体に直角にそれぞれ突出して前記本体に形成され、前記絶縁ハウジングの一組の前記取付け開口内のそれぞれに取り付けられる一対の取付けタブを有する、請求項７の電気コネクタ。
【請求項９】
前記各端子の前記締結部分の前記切り込みはＶ字形である、請求項８の電気コネクタ。
【請求項１０】
前記各端子の前記締結部分の前記切り込みはＵ字形である、請求項８の電気コネクタ。
【考案の詳細な説明】
【技術分野】
【０００１】
本考案は、コネクタに関し、より詳細には、耐久性に優れ、良好な導電性および所望の生産率を得ることができる電気コネクタに関する。
【背景技術】
【０００２】
米国特許Ｎｏ．６，９３５，９０６号明細書は、絶縁ハウジング、複数のプローブ接触子および複数の端子を有する従来の電気のコネクタを開示する。前記プローブ接触子は、傾斜配置で前記絶縁ハウジングに取付けられ、前記各プローブ接触子は、後面および金などのメッキを備える。前記後面は、後端を有する。前記端子は、前記絶縁ハウジングに取り付けられ、前記プローブ接触子に関して傾斜し、前記プローブ接触子をそれぞれ保持する。前記各端子は、一つの前記プローブ接触子の前記後面を取り巻いて取り付けられるリングを有する。前記電気コネクタが組み立てられるとき、前記リングは、前記プローブ接触子の前記後端から前記後面上を長手方向へ摺動する。
【０００３】
【特許文献１】米国特許Ｎｏ．６，９３５，９０６号明細書
【０００４】
しかしながら、前記リングを有する端子は構造上複雑であり、その結果、前記端子の製造は、難しく、時間がかかりすぎる。さらに、前記プローブ接触子の傾斜配置は、前記電気コネクタの組み立ての困難さを増大させる。さらに、前記電気コネクタの組み立てで前記プローブ接触子の前記後面上に前記端子のリングを滑らせることは、前記メッキを容易に摩耗させ、前記プローブ接触子の導電率を低下させる。したがって、従来の前記電気コネクタは、生産率および品質が悪く、期待外れである。
【０００５】
前記の欠点を克服するために、本考案は、前記した問題を緩和しあるいは除去する電気コネクタを提供する。
【考案の開示】
【考案が解決しようとする課題】
【０００６】
本新案の主たる目的は、耐久性があり、優れた導電性および望ましい生産性を示す電気コネクタを提供することにある。
【課題を解決するための手段】
【０００７】
本考案に係る電気コネクタは、絶縁ハウジング、複数のプローブ接触子および複数の端子から成る。前記絶縁ハウジングは、複数の取付け孔および複数の取付けスロットを備える。前記取付けスロットは、前記取付け孔のそれぞれに連通し、またこれと直角である。前記プローブ接触子は、前記取付け孔のそれぞれに取り付けられる。前記端子は、前記取付けスロットのそれぞれに取り付けられ、前記プローブ接触子のそれぞれを保持し、また前記各端子は締結部分を有する。前記締結部分は、１つの前記プローブ接触子に直角であり、該プローブ接触子を確実に保持する。前記締結部分を有する前記端子は、管状本体に沿って長手方向へ滑動することなく、前記プローブ接触子に直角に取り付けられる。したがって、前記端子は、前記プローブ接触子を摩耗させない。
【考案を実施するための最良の形態】
【０００８】
本考案の他の目的、利点および新規な特徴は、添付図面に関連する以下の詳細な説明から、より明白になるであろう。
【０００９】
図１および２を参照するに、本考案に係る電気コネクタ（１００）は、絶縁ハウジング（１０）、複数のプローブ接触子（２０）および複数の端子（３０）から成る。
【００１０】
さらに、図３を参照するに、絶縁ハウジング（１０）は、前面（１１）、後面（１２）、底面（１４）、複数の取付け孔（１５）および複数の取付けスロット（１４２）を有し、さらに、複数対の取付け開口（１４１）を有することができる。
【００１１】
取付け孔（１５）は、絶縁ハウジング（１０）を通って前面（１１）から後面（１２）に縦方向に形成され、直径を有する。
【００１２】
取付けスロット（１４２）は、底面（１４）に形成されており、取付け孔（１５）に対応してそれぞれに連通し、該取付け孔１５に直角である。
【００１３】
対をなす取付け開口（１４１）は、取付けスロット（１４２）にそれぞれ対応して底面（１４）に形成されている。
【００１４】
さらに図４を参照するに、プローブ接触子（２０）は、導電率を高めるために金などのメッキで覆うことができ、対応する取付け孔（１５）にそれぞれ取付けられて取付けスロット（１４２）にそれぞれ対応する。各プローブ接触子（２０）は、管状本体（２１）、プローブ（２３）およびスプリング（２２）を備える。
【００１５】
管状本体（２１）は、中空であり、金属から成り、対応する取付け孔（１５）内に確実に取り付けられ、また管状本体（２１）は、閉鎖端（２１３）、開放端（２１１）、チャンバ（２１０）、外方の環状フランジ（２１５）および内方の環状フランジ（２１７）を有する。チャンバ（２１０）は、管状本体（２１）中で、長手方向に形成されており、開放端（２１１）に連通する。閉鎖端（２１３）は対応する取付け孔（１５）に設置される。開放端（２１１）は、閉鎖端（２１３）と反対側で、対応する取付け孔（１５）から伸びる。外方の環状フランジ（２１５）は、管状本体（２１）に形成され、該管状本体から半径方向へ突出し、絶縁ハウジング（１０）の前面（１１）に当接し、取付け孔（１５）の直径より大きい直径を有する。内方の環状フランジ（２１７）は、管状本体（２１）に形成され、該管状本体から半径方向へ突出し、対応する取付けスロット（１４２）に取り付けられ、取付け孔（１５）の直径より大きい直径を有する。
【００１６】
プローブ（２３）は金属から成り、チャンバ（２１０）内で滑動可能に取り付けられ、管状本体（２１）の開放端（２１１）から伸張し、電力または信号伝送ケーブルの端子に接触可能であり、内端を有する。
【００１７】
スプリング（２２）は、チャンバ（２１０）内に設置され、管状本体（２１）の開放端（２１１）からプローブ（２３）を偏倚させるために、プローブ（２３）の前記内端を押し付ける。
【００１８】
さらに図５Ａおよび６Ａを参照するに、端子（３０）はＬ字型で、絶縁ハウジング（１０）の取付けスロット（１４２）にそれぞれ対応して該取付けスロット内に取り付けられ、プローブ接触子（２０）に対応して該プローブ接触子のそれぞれを保持する。各端子（３０）は、本体部分（３１）、締結部分（３２）およびはんだ付け部分（３１２）を有し、さらに一対の取付けタブ（３１１）を有することができる。
【００１９】
本体部分（３１）は、絶縁ハウジング（１０）の底面（１４）に当接し、両側部を有する。
【００２０】
締結部分（３２）は、二叉状で、本体部分（３１）に該本体部分から直角に突出して形成されている。締結部分（３２）は、絶縁ハウジング（１０）の対応する取付けスロット（１４２）内に設置され、また絶縁ハウジング（１０）内の対応するプローブ接触子（２０）の管状本体（２１）に直角に該管状本体を横切ってこれを保持する。締結部分（３２）は、遠位端（３２１）、２つの突起および切り込み（３３、３３ａ）を有し、図５Ｂ、６Ｂ、５Ｃおよび６Ｃに示されているように、さらにスリット（３３３）および一対の切欠き部（３３５）を有することができる。前記突起は、絶縁ハウジング（１０）の対応する取付けスロット（１４２）内に達し、外方の環状フランジ（２１５）およびと内方の環状フランジ（２１７）間に位置し、対応するプローブ接触子（２０）の内方フランジ（２１７）に当接して管状本体（２１）が取付けスロット（１５）から不意に脱落することを防止する。切り込み（３３、３３ａ）はＶ字形あるいはＵ字形とすることができ、前記突起間で遠位端（３２１）に形成され、管状本体（２１）を横方向で締め付け、また内底面（３３１）を有する。スリット（３３３）は、切り込み（３３、３３ａ）の内底面（３３１）に縦方向に形成され、さらに、締結部分（３２）がプローブ接触子（２０）に係合するとき、締結部分（３２）が裂けることを防止するに十分な弾性を有するように、締結部分（３２）を分割する。切欠き部（３３５）は、切り込み（３３、３３ａ）の前記両突起にそれぞれ湾曲して形成されており、管状本体（２１）が端子（３０）の切り込み（３３、３３ａ）から不意に脱落することを防止すべく、対応するプローブ接触子（２０）の管状本体（２１）に確実に接触する。
【００２１】
はんだ付部分（３１２）は、本体部分（３１）から締結部分（３２）の反対側で突出して形成されており、回路基板上に取付けることができる。
【００２２】
取り付けタブ（３１１）は、本体部分（３１）の前記両側部のそれぞれから直角に突出して形成されており、端子（３０）のぐらつきを防止すべく、絶縁ハウジング（１０）の一対の取付け開口（１４１）のそれぞれに取付けられる。
【００２３】
前記電気コネクタが組み立てられるとき、締結部分（３３）を有する端子（３０）は、管状本体（２１）に沿ってその長手方向へ滑ることなく、対応するプローブ接触子（２０）の管状本体（２１）に、これを横切って直角に取付けられる。したがって、管状本体（２１）上のメッキは、端子（３０）で摩耗を受けず、電気コネクタ（１００）は耐久性に優れ、良好な導電率を示す。さらに、取付けスロット（１４２）は、端子（３０）の締結部分（３２）がプローブ接触子（２０）に関して傾斜することなくプローブ接触子（２０）の管状本体（２１）に直角に取付けられることを可能とすべく、取付け孔（１５）に直角である。したがって、前記電気コネクタの組み立ては容易であり、好都合である。前記電気コネクタの生産率は好ましい。
【００２４】
本考案の多数の特徴および利点が、本考案の構成および作用の詳細と共に開示されたが、その開示は説明のためのみである。詳細での変更は、特に、本新案の原理内での部分の形態、寸法および配置について、添付の請求項に表現された用語の一般的な広い意味によって示される十分な範囲で、行うことができる。
【図面の簡単な説明】
【００２５】
【図１】本考案に係る電気コネクタの斜視図である。
【図２】図１の電気コネクタの一部を分解して示す斜視図である。
【図３】図１の電気コネクタの絶縁ハウジングの横断面の斜視図である。
【図４】図１の電気コネクタのプローブ接触子の分解斜視図である。
【図５Ａ】図１の電気コネクタの端子の第１の変形例の斜視図である。
【図５Ｂ】図５Ａの電気コネクタの、さらにスリットを有する前記第１の変形例の斜視図である。
【図５Ｃ】図５Ａの電気コネクタの、さらにスリットおよび一対の切欠き部を有する前記第１の変形例の斜視図である。
【図６Ａ】図１の電気コネクタの端子の第２の変形例の斜視図である。
【図６Ｂ】図６Ａの電気コネクタの、さらにスリットを有する前記第２の変形例の斜視図である。
【図６Ｃ】図６Ａの電気コネクタの、さらにスリットおよび一対の切欠き部を有する前記第２の変形例の斜視図である。
【符号の説明】
【００２６】
１０  絶縁ハウジング
１００  電気コネクタ
１１  前面
１２  後面
１４  底面
１４２  取付けスロット
１５  取付け孔
２０  プローブ接触子
２１  管状本体
２１０  チャンバ
２１１  開放端
２１３  閉鎖端
２１５  外方環状フランジ
２１７  内方管状フランジ
２２  スプリング
２３  プローブ
３０  端子
３１  本体部分
３１１  取り付けタブ
３１２  ハンダ付け部分
３２  締結部分
３２１  遠位端
３３、３３ａ  切り込み
３３１  内底面
３３３  スリット
３３５  切欠き部
【図１】
0003144959.tif 000003
【図２】
0003144959.tif 000004
【図３】
0003144959.tif 000005
【図４】
0003144959.tif 000006
【図５Ａ】
0003144959.tif 000007
【図５Ｂ】
0003144959.tif 000008
【図５Ｃ】
0003144959.tif 000009
【図６Ａ】
0003144959.tif 000010
【図６Ｂ】
0003144959.tif 000011
【図６Ｃ】
0003144959.tif 000012